(57)【要約】【課題】この発明の第１の目的は、ボディをキャップから確実かつ迅速に分離することであり、またこの発明の第２の目的は、ボディに傷を付けることなくボディを分離回収することができ、不良品の発生を大幅に低減することができる簡易型カプセル充填機を提案することにある。【解決手段】一体となって搬送されてきたボディとキャップからなるカプセルを収納する複数の貫通孔を備え、該貫通孔にキャップを上にしてカプセルを収納保持するようにしたキャップ用基板と、該キャップ用基板の下部に配設され、ボディを収納する複数の貫通孔を備えたボディ用基板およびその下部を密閉するハウジングとを備え、キャップ用基板に保持されたキャップおよびボディの下部に向けて吸引する前記ハウジングの真空吸引手段により、キャップ用基板に保持されたキャップからボディを分離させるようにしたことを特徴とする簡易型カプセル充填機。【選択図】  図６
2011083339.tif 000002
【特許請求の範囲】
【請求項１】
一体となって搬送されてきたボディとキャップからなるカプセルを収納する複数の貫通孔を備え、該貫通孔にキャップを上にしてカプセルを収納保持するようにしたキャップ用基板と、該キャップ用基板の下部に配設され、ボディを収納する複数の貫通孔を備えたボディ用基板およびその下部を密閉するハウジングとを備え、
キャップ用基板に保持されたキャップおよびボディの下部に向けて吸引する前記ハウジングの真空吸引手段により、キャップ用基板に保持されたキャップからボディを分離させるようにしたことを特徴とする簡易型カプセル充填機。
【請求項２】
前記ボディを収納する複数の貫通孔を備えたボディ用基板およびその下部を密閉するハウジングの真空吸引手段が、該ハウジングに接続した脱気部からエアを吸引するようにしたことを特徴とする請求項１に記載の簡易型カプセル充填機。
【請求項３】
前記ハウジングに接続した脱気部が、市販の掃除機の吸引パイプを取り付ける接続口を備え、この接続口に市販の掃除機の吸引パイプを取り付けて、エアを吸引するようにしたことを特徴とする請求項２に記載の簡易型カプセル充填機。
【発明の詳細な説明】
【技術分野】
【０００１】
この発明はボディとキャップからなる各種カプセルに粉体や液状、あるいはシロップ状の内容物を充填する際に、一体となって搬送されてきたボディとキャップとを分離するために使用する簡易型カプセル充填機に関する。
【背景技術】
【０００２】
従来、ボディとキャップからなる各種カプセルに粉体や液状、あるいはシロップ状の内容物を充填する際に、一体となって搬送されてきたボディとキャップとを分離するための機構は以下のようになっていた。すなわち、段差を設けた分離用の基板に一体となって搬送されてきたボディとキャップとを投入してキャップを段差部分で浮き支持し、基板の下から露出したボディをクリップ状の挟着手段で挟んで引き下ろすことにより、ボディをキャップから分離するものである。
【０００３】
しかしながら、前記ボディをクリップ状の挟着手段で挟んで引き下ろす従来の機構においては、ボディをクリップ状の挟着手段で挟むものであるために、ボディをキャップから確実に分離することが難しく、またボディに傷を付けて不良品を出しやすいという問題点があった。
【先行技術文献】
【特許文献】
【０００４】
【特許文献１】特にありません
【発明の概要】
【発明が解決しようとする課題】
【０００５】
したがって、この発明の第１の目的は、ボディをキャップから確実かつ迅速に分離することであり、またこの発明の第２の目的は、ボディに傷を付けることなくボディを分離回収することができ、不良品の発生を大幅に低減することができる簡易型カプセル充填機を提案することにある。
【課題を解決するための手段】
【０００６】
以上の目的を達成するため、この発明の簡易型カプセル充填機は、一体となって搬送されてきたボディとキャップからなるカプセルを収納する複数の貫通孔を備え、該貫通孔にキャップを上にしてカプセルを収納保持するようにしたキャップ用基板と、該キャップ用基板の下部に配設され、ボディを収納する複数の貫通孔を備えたボディ用基板、およびその下部を密閉するハウジングとを備え、
キャップ用基板に保持されたキャップおよびボディの下部に向けて吸引する前記ハウジングの真空吸引手段により、キャップ用基板に保持されたキャップからボディを分離させるようにしたことを特徴とするものである。
【０００７】
この発明の簡易型カプセル充填機は、前記ボディを収納する複数の貫通孔を備えたボディ用基板およびその下部を密閉するハウジングの真空吸引手段が、該ハウジングに接続した脱気部からエアを吸引するようにしたことをも特徴とするものである。
【０００８】
この発明の簡易型カプセル充填機は、前記ハウジングに接続した脱気部が、市販の掃除機の吸引パイプを取り付ける接続口を備え、この接続口に市販の掃除機の吸引パイプを取り付けて、エアを吸引するようにしたことをも特徴とするものである。
【発明の効果】
【０００９】
この発明によれば、センサや電子的な手段を用いることなく、カプセルのボディをキャップから確実かつ迅速に分離することができ、非常に安価でメンテナンスの容易な簡易型カプセル充填機を提供することができるようになった。
【００１０】
またこの発明によれば、ボディに傷を付けることなくボディを分離回収することができ、不良品の発生を大幅に低減することができる簡易型カプセル充填機を提供することが可能となった。
【図面の簡単な説明】
【００１１】
【図１】（ａ）はこの発明の簡易型カプセル充填機の一実施例における、キャップ用基板の上面に装着するカバーの平面図、（ｂ）はその側面図である。
【図２】（ａ）はキャップ用基板の平面図、（ｂ）はその側面図である。
【図３】（ａ）はボディ用基板の平面図、（ｂ）はその側面図である。
【図４】（ａ）はハウジングの平面図、（ｂ）はその側面図である。
【図５】ボディ用基板とハウジングとを組み付けた状態の平面図である。
【図６】（ａ）はキャップ用基板とボディ用基板との組付状態において、カプセルを分離した時の側面図、（ｂ）はカプセルを結合した時の側面図である。
【図７】（ａ）はキャップへボディを結合する際に使用する結合部材の平面図、（ｂ）はその側面図である。
【図８】（ａ）は結合部材の架台の平面図、（ｂ）はその側面図である。
【図９】（ａ）は市販の掃除機の吸引パイプを取り付ける接続口を備えた脱気部の正面図、（ｂ）はその側面図である。
【発明を実施するための形態】
【００１２】
以下この発明の簡易型カプセル充填機の実施の形態を図面に基いて詳細に説明する。
図１ないし図６を用いてこの発明による簡易型カプセル充填機の１実施例について詳細に説明する。
図１（ａ）および（ｂ）はこの発明の簡易型カプセル充填機の一実施例における、キャップ用基板の上面に装着するカバー１１を示し、また図２（ａ）および（ｂ）はキャップ用基板２１を示すものである。
【００１３】
図２（ａ）および（ｂ）に示すキャップ用基板２１は、一体となって搬送されてきたボディ３２とキャップ３３からなるカプセル３１を収納する複数の貫通孔２２を備え、該貫通孔２２に前記キャップ３３を上にしてカプセル３１を収納保持するようになっている。
【００１４】
そして、前記キャップ用基板２１の貫通孔２２は、ボディ３２は通過するがキャップ３３は通さない径に形成され、また上部には上に拡がるテーパ２３を備えている。したがって、前記カプセル３１がボディ３２側から貫通孔２２に収納されると、キャップ３３がテーパ２３の下部に係合して吊下げるように保持される。
２４は貫通孔２２の列の両側に配置したセンターピン２５の取付孔である。
【００１５】
図１（ａ）および（ｂ）に示すカバー１１は、前記キャップ３３を上にしてカプセル３１を収納保持したキャップ用基板２１の上面に装着されるようになっている。
１２は、カバー１１のキャップ用基板２１に設けた貫通孔２２に対応する部分の両側に配置したセンターピン２５の取付孔である。
【００１６】
図３は前記キャップ用基板２１の下部に配設され、ボディ３２を収納する複数の貫通孔４２を備えたボディ用基板４１を示し、図４はその下部を密閉するハウジング４３を示すものである。
すなわち、この実施例における簡易型カプセル充填機は、前記キャップ用基板２１に、前記ボディ３２を収納する複数の貫通孔４２を備えたボディ用基板４１と、その下部を密閉するハウジング４３とを組み合わせてなるものである。
【００１７】
そして、前記ハウジング４３の所定高さの側壁４４には脱気口４５を形成し、この脱気口４５に図９に示す脱気部４６を取り付けることにより、市販の掃除機の吸引パイプを接続して、エアを吸引することができる。すなわち、前記脱気部４６に市販の掃除機の吸引パイプを接続してハウジング４３内を真空吸引することにより、前記カプセル３１のキャップ３３およびボディ３２に下向きの負荷をかけ、キャップ用基板２１に保持されたキャップ３３からボディ３２を分離させることができるようにしたものである。
４７−１，４７−２は、前記ボディ用基板４１およびハウジング４３の両側に配置したセンターピン２５の取付孔である。
【００１８】
図５はボディ用基板とハウジングとを組み付けた状態を示すものであり、また図６は、それぞれキャップ用基板２１とボディ用基板４１およびハウジング４３とを組み付けた状態を示すものであって、センターピン２５によってキャップ用基板２１とボディ用基板４１およびハウジング４３が確実にセットされる。
図５において、前記ボディ用基板４１はボディ３２を収納する複数の貫通孔４２を備え、またハウジング４３の所定高さの側壁４４に形成した脱気口４５には脱気部４６が取り付けられている。４８は取っ手である。
【００１９】
図６（ａ）は、前記カプセル３１のキャップ３３からボディ３２を真空吸引して取り外す際の結合部材５１の位置を示し、前記ボディ３２はキャップ３３から所定の間隔をあけた位置で保持される。
図６（ｂ）は、前記カプセル３１のキャップ３３へボディ３２を結合する際の結合部材５１の位置を示し、この結合部材５１を結合架台５２を用いて複数の貫通孔４２に向けて上昇させることにより、ボディ３２をキャップ３３に押し込むことができるようになっている。
【００２０】
図７（ａ）、（ｂ）は結合部材５１を示すものであり、結合部材５１のほぼ全面には複数の貫通孔４２に対応する小径の凹部５３が形成されている。この結合部材５１はハウジング４３内に収納されて、ボディ用基板４１の複数の貫通孔４２にそれぞれ収納されたカプセル３１のボディ３２の下端を保持している。したがって、結合部材５１を押し上げると、ボディ３２がぶれずにキャップ３３に向けて押し上げられ、ボディ３２はキャップ３３に確実にはめ込まれるのである。
【００２１】
図８（ｂ）、（ｂ）は前記結合架台５２を説明するためのもので、所定厚さのＨ型部材からなり、ハウジング４３内に収納した結合部材５１の下部にはめ込んで、結合部材５１を所定の高さに保持することができるようになっている。
【００２２】
図９（ａ）、（ｂ）は脱気部４６を説明するためのもので、鼓状断面の本体６１の後部には前記ハウジング４３の側壁４４に設けた脱気口４５にはめ込む開口６２が、また本体６１の前部には市販の掃除機の吸引パイプを接続するための接続口６３がそれぞれ設けられている。
したがって、前記脱気口４５に開口６２をはめ込むことにより脱気部４６を取り付け、市販の掃除機の吸引パイプを接続口６３に接続して、ハウジング４３内を真空吸引することにより、前記カプセル３１のキャップ３３およびボディ３２に下向きの負荷をかけ、キャップ用基板２１に保持されたキャップ３３からボディ３２を分離させることができるようになっている。
【００２３】
以上のようにこの発明によれば、センサや電子的な手段を用いることなく、カプセル３１のボディ３２をキャップ３３から確実かつ迅速に分離することができ、非常に安価でメンテナンスの容易な簡易型カプセル充填機を提供することができるようになった。
またこの発明によれば、ボディ３２に傷を付けることなくボディ３２をキャップ３３から分離回収することができ、不良品の発生を大幅に低減することができる簡易型カプセル充填機を提供することが可能となった。
【産業上の利用可能性】
【００２４】
以上説明したように、この発明の簡易型カプセル充填機は、ボディとキャップからなるカプセルであれば、粉体や液状、あるいはシロップ状の内容物の充填に好適に使用することができる。
【００２５】
もちろん、この発明の趣旨を変えない限り、この発明を適宜の用途に応用することは自由である。
【符号の説明】
【００２６】
１１  カバー
１２  取付孔
２１  キャップ用基板
２２  貫通孔
２３  テーパ
２４  取付孔
２５  センターピン
３１  カプセル
３２  ボディ
３３  キャップ
４１  ボディ用基板
４２  貫通孔
４３  ハウジング
４４  側壁
４５  脱気口
４６  脱気部
４７−１，４７−２  取付孔
４８  取っ手
５１  結合部材
５２  結合架台
５３  凹部
６１  本体
６２  開口
６３  接続口
【図１】
2011083339.tif 000003
【図２】
2011083339.tif 000004
【図３】
2011083339.tif 000005
【図４】
2011083339.tif 000006
【図５】
2011083339.tif 000007
【図６】
2011083339.tif 000008
【図７】
2011083339.tif 000009
【図８】
2011083339.tif 000010
【図９】
2011083339.tif 000011